(57)【特許請求の範囲】
【請求項１】
互いに対向配置されて、上下方向に通気するための通気路を形成する樹脂製の一対のベース板部を備え、
前記一対のベース板部のうち少なくとも一方は、
相手側の前記ベース板部の対向面側に向かって突出するとともに、前記一対のベース板部を離間させた状態で固定する固定用突出部を有し、
前記一対のベース板部のうち少なくとも一方は、
前記相手側のベース板部の対向面側に向かって突出するとともに、前記一対のベース板部の間に形成される前記通気路を屈曲させる突出棚部を有しており、
前記固定用突出部には、当該固定用突出部の突出方向に沿ってビスを挿通させるための挿通部が形成されている、
ことを特徴とする軒天換気材。
【請求項２】
樹脂成形体からなり、一面に突出棚部を有し、前記一面同士を対向させて配置された一対のベース板部を備え、
前記一対のベース板部のうち少なくとも一方は、前記一面から相手側の前記ベース板部の対向面側に向かって突出するとともに、前記一対のベース板部を離間させて対向配置するためのスペーサを有し、
前記一対のベース板部を、前記スペーサを介して前記一面同士を対向させて配置することで、前記一対のベース板部間に屈曲する通気路を形成しており、
前記スペーサには、当該スペーサの突出方向に沿ってビスを挿通させるための挿通部が形成されている、
ことを特徴とする軒天換気材。
【請求項３】
前記挿通部は、前記ビスを挿通させるための孔である、
ことを特徴とする請求項１又は２に記載の軒天換気材。
【請求項４】
一つの樹脂成形体がその中途部の少なくとも１箇所で折り曲げられ、一方の折り曲げ片と他方の折り曲げ片とが、前記一対のベース板部となり、
前記一方の折り曲げ片と前記他方の折り曲げ片とが、互いに対向配置された状態で固定されてなる、
ことを特徴とする請求項１から３の何れかに記載の軒天換気材。
【発明の詳細な説明】
【技術分野】
【０００１】
本発明は、建物の小屋裏の換気を行うための軒天換気材に関する。
【背景技術】
【０００２】
従来、木造住宅等の小屋裏の湿気や熱気を排出するために、軒先や軒下に軒天換気材が設置されている。このような軒天換気材としては、特許文献１、及び特許文献２に開示されているように、上下方向に通気するための通気路（上下方向に抜ける通気路）が形成された軒天換気材が知られている。特許文献１の軒天換気材は、上下方向に延びる通気路を多数有する通気材を有することで、上下方向に通気する。また、特許文献２の軒天換気材は、各々が凹凸断面形状を有する合成樹脂シートを複数積層した状態で熱融着によって相互に接続して一体化されることで、上下方向に通気するための通気路が形成されている。
【先行技術文献】
【特許文献】
【０００３】
【特許文献１】特開２０１３−４４０８６号公報
【特許文献２】特開２０１４−３１６４０号公報
【発明の概要】
【発明が解決しようとする課題】
【０００４】
しかしながら、従来の軒天換気材は、通気路が上下方向に直線状に形成されているため、雨や雪が通気路内に奥深く侵入し易い。このため、寒冷地等では侵入した雨や雪の凍結により通気路を塞いでしまい、換気性能を損なう恐れがあった。特に、特許文献１、２の軒天換気材では、通気路の径が小さいために、雨や雪が通気路の内面に付着しやすく、この付着した雨や雪の凍結により通気路を塞いでしまい易かった。
【０００５】
そこで、本発明は、雨や雪が通気路内に奥深く侵入すること及び侵入した雨や雪が通気路の内面に付着することを防止することができ、高い換気性能を維持できる軒天換気材を提供することである。
【課題を解決するための手段】
【０００６】
（１）上記課題を解決するために、本発明に係る軒天換気材は、互いに対向配置されて、上下方向に通気するための通気路を形成する樹脂製の一対のベース板部を備え、前記一対のベース板部のうち少なくとも一方は、相手側の前記ベース板部の対向面側に向かって突出するとともに、前記一対のベース板部を離間させた状態で固定する固定用突出部を有し、前記一対のベース板部のうち少なくとも一方は、前記相手側のベース板部の対向面側に向かって突出するとともに、前記一対のベース板部の間に形成される前記通気路を屈曲させる突出棚部、を有する。そして、前記固定用突出部には、当該固定用突出部の突出方向に沿ってビスを挿通させるための挿通部が形成されていることを特徴とする。
【０００７】
上記構成によれば、屈曲する通気路を備えた軒天換気材を、樹脂製の一対のベース板部を対向配置させるだけで容易に組み付けて形成することができる。また、突出棚部によって通気路が屈曲されているため、雨や雪が通気路内に奥深く侵入し難くできる。更に、固定用突出部によって、一対のベース板部が離間させた状態で固定されるため、固定用突出部の長さを調整することで、通気路の径を調整することができ、十分な換気性能を得ることができるとともに、雨や雪が侵入した場合でも雨や雪が凍結して、通気路が目詰まりし難くできる。また、上記構成によれば、少なくとも一方のベース部材において、固定用突出部と突出棚部とは、同一方向に突出するため、金型を用いて樹脂成形する際に、型抜きし易く、このため、用いる金型の形状を簡素にすることができる。このため、軒天換気材を、容易に樹脂成形することができる。また、軒天換気材を所定位置に固定しやすくなる。
【０００８】
上記本発明に係る軒天換気材おいて、上記一対のベース板部は、それぞれ前記固定用突出部を有し、前記一対のベース板部の一方の前記固定用突出部の先端と、前記一対のベース板部の他方の前記固定用突出部の先端とを固定することで、前記一対のベース板部が、互いに離間されて対向配置された状態で固定されてもよい。
上記構成によれば、一方のベース板部における固定用突出部の先端と他方のベース板部における固定用突出部の先端とが固定されることで、一対のベース板部が互いに固定されるため、一方のベース板部と他方のベース板部との間の固定位置の位置合わせが容易になる。特に、一対のベース板部が、互いに分離されている場合には、上記構成によって、一対のベース板部の位置合わせ及び組み合わせ作業が容易になり、簡単に軒天換気材を形成することができる。
【０００９】
（２）また、本発明に係る軒天換気材は、樹脂成形体からなり、一面に突出棚部を有し、前記一面同士を対向させて配置された一対のベース板部を備え、前記一対のベース板部のうち少なくとも一方は、前記一面から相手側の前記ベース板部の対向面側に向かって突出するとともに、前記一対のベース板部を離間させて対向配置するためのスペーサを有し、前記一対のベース板部を、前記スペーサを介して前記一面同士を対向させて配置することで、前記一対のベース板部間に屈曲する通気路を形成している。そして、前記スペーサには、当該スペーサの突出方向に沿ってビスを挿通させるための挿通部が形成されていることを特徴とする。
上記構成によれば、屈曲する通気路を備えた軒天換気材を、樹脂成形体からなる一対のベース板部を対向配置させるだけで容易に組み付けて形成することができる。また、突出棚部によって通気路が屈曲されているため、雨や雪が通気路内に奥深く侵入し難くできる。更に、十分な径の通気路とすることができて十分な換気性能を得ることができるとともに、雨や雪が侵入した場合でも雨や雪が凍結して、通気路が目詰まりし難くできる。また、上記構成によれば、ベース部材を簡易な構造の金型を用いて樹脂成形することができ、製造工程の簡素化を図ることができる。また、軒天換気材を所定位置に固定しやすくなる。
【００１０】
（３）前記挿通部は、前記ビスを挿通させるための孔である。
【００１２】
（４）上記軒天換気材は、一つの樹脂成形体がその中途部の少なくとも１箇所で折り曲げられ、一方の折り曲げ片と他方の折り曲げ片とが、前記一対のベース板部となり、前記一方の折り曲げ片と前記他方の折り曲げ片とが、互いに対向配置された状態で固定されてもよい。
【００１３】
上記構成によれば、一度の成形で、一対のベース板部を形成することができる。このため、一対のベース板部を成形するための金型の種類を少なくすることができて製造コストを低減することができ、かつ、一対のベース板部の形成が容易になる。また、中途部で折り曲げると、一対のベース板部が互いに対向配置されるため、一対のベース板部の位置合わせが容易になり、一対のベース板部の形成が容易になる。
【発明の効果】
【００１４】
上記構成によれば、雨や雪が通気路内に奥深く侵入すること及び侵入した雨や雪が通気路の内面に付着することを防止することができ、高い換気性能を維持できる軒天換気材を提供することができる。
【図面の簡単な説明】
【００１５】
【図１】本実施形態に係る軒天換気材を建物に取り付けた状態を示す図である。
【図２】本実施形態に係る軒天換気材の斜視断面図である。
【図３】第２ベース板部の正面図である。
【図４】第２ベース板部の平面図である。
【図５】図３で示す第２ベース板部のＡ−Ａ矢視断面図である。
【図６】図３で示す第２ベース板部のＣ−Ｃ矢視断面図である。
【図７】第１ベース板部の背面図である。
【図８】第１ベース板部の底面図である。
【図９】図７で示す第１ベース板部のＢ−Ｂ矢視断面図である。
【図１０】図７で示す第１ベース板部のＤ−Ｄ矢視断面図である。
【図１１】図２で示す軒天換気材の断面図である。
【図１２】図２で示す軒天換気材における空気の流れを示す図である。
【発明を実施するための形態】
【００１６】
以下、本発明の好適な一実施形態について、図面を参照しつつ説明する。
（軒天換気材の全体構成）
図１、図２、図１１及び図１２を用いて本実施形態にかかる軒天換気材の全体構成を説明する。図１は、本実施形態に係る軒天換気材を建物（軒が短いタイプの軒下）に取り付けた状態を示す図である。図２は、本実施形態に係る軒天換気材の斜視断面図である。図１１は、図２で示す軒天換気材の断面図である。図１２は、図２で示す軒天換気材における空気の流れを示す図である。
【００１７】
図１に示すように、本実施形態に係る軒天換気材１は、建物１００の軒１０１の下に設置され、建物１００の小屋裏の換気を行うための部材である。
建物１００では、外装材１０６（「外壁」の一例）が通気胴縁１０５及び合板（又は透湿防水シート）１０５Ａを介して柱１０４に取り付けられて垂直方向に立ち上がるように形成されているとともに、軒（たる木）１０１が外装材１０６から前方に突出するように形成されている。本実施形態では、外装材１０６の上端は、通気胴縁１０５の上端よりも低い位置になるように形成されている。軒１０１の先端には、鼻隠し１０３がその上部でビスＮ２によって取り付けられる。この鼻隠し１０３の正面上端部には、淀１０２がビスＮ１によって取り付けられる。
【００１８】
本実施形態では、軒天換気材１は、外装材１０６の上方において、鼻隠し１０３と通気胴縁１０５とに挟まれるように、配置されている。軒天換気材１は、長尺状の部材であり、その長手方向が軒１０１の突出方向に直交し、かつ建物１００の幅方向に一致するように建物１００に設置される。軒天換気材１は、通気胴縁１０５まで、前方側から後方側に向かってビスＮ３、Ｎ５が挿入されることで、建物１００に取り付けられる。なお、鼻隠し１０３は、上述したように、その上部でビスＮ２によって軒１０１の先端に取り付けられているが、その下部で、ビスＮ４によって軒天換気材１を介して通気胴縁１０５に取り付けられている。より具体的に説明すると、鼻隠し１０３に対して、前方から後方に向かって、ビスＮ４が挿入されて、このビスＮ４が軒天換気材１及び通気胴縁１０５を貫くことで、鼻隠し１０３が建物１００に取り付けられる。これによって、鼻隠し１０３だけでなく、軒天換気材１についてもより強固に建物１００に取り付けることができる。なお、鼻隠し１０３の前面の上側には淀１０２がビスＮ１によって取り付けられている。
【００１９】
上述した、軒天換気材１の建物１００への取り付け構造は、一例であり、建物１００の軒１０１又は軒１０１の下に取り付けられて、小屋裏の換気を行うことができれば、軒天換気材１はどのように取り付けられてもよい。例えば、本実施形態では、軒天換気材１を軒１０１の下における外装材１０６側に取り付けているが、軒天換気材１を軒１０１の軒先に取り付けてもよい。
【００２０】
図２及び図１１で示すように軒天換気材１は、互いに対向配置されて、上下方向に通気するための通気路Ｏ１を形成する樹脂製の一対のベース板部２、３を備える。なお、軒天換気材１が建物１００に取り付けられたときに、一対のベース板部２、３の並ぶ方向は、軒１０１の突出方向に一致するが、ベース板部３（以下、「第２ベース板部３」と記載する）が建物１００の通気胴縁１０５側に配置され、ベース板部２（以下、「第１ベース板部２」）が鼻隠し１０３側に配置される。
【００２１】
第１ベース板部２は、相手側の第２ベース板部３の対向面側に向かって突出するとともに、一対のベース板部２、３を離間させた状態で固定する複数の固定用突出部２３、２５と、相手側の第２ベース板部３の対向面側に向かって突出するとともに、一対のベース板部２、３の間に形成される通気路Ｏ１を屈曲させる突出棚部２２、２４と、を有する。また、第２ベース板部３は、相手側の第１ベース板部２の対向面側に向かって突出するとともに、一対のベース板部２、３を離間させた状態で固定する複数の固定用突出部３２、３４と、相手側の第１ベース板部２の対向面側に向かって突出するとともに、一対のベース板部２、３の間に形成される通気路Ｏ１を屈曲させる突出棚部３３と、を有する。
【００２２】
上記構成によれば、突出棚部２２、２４、３３によって通気路Ｏ１が屈曲されているため、雨や雪が通気路内に奥深く侵入することを防止することができる。更に、固定用突出部２３、２５、３２、３４によって、一対のベース板部２、３が離間させた状態で固定されるため、固定用突出部２３、２５、３２、３４の長さを調整することで、通気路Ｏ１の径を調整することができるので、十分な換気性能とし得るとともに、通気路Ｏ１内に雨や雪が侵入した場合でも通気路Ｏ１の内面に付着し難いため、雨や雪が通気路Ｏ１の内面に付着した状態で凍結して、通気路Ｏ１が目詰まりすることを防止することができる。また、上記構成によれば、第１、第２ベース部材２、３において、固定用突出部２３、２５、３２、３４と突出棚部２２、２４，３３とは、同一方向に突出するため、金型を用いて樹脂成形する際に、型抜きし易く、このため、用いる金型の形状を簡素にすることができる。このため、軒天換気材１を容易に樹脂成形することができる。
【００２３】
上述したように、一対のベース板部２、３は、それぞれ固定用突出部を有する（第１ベース板部２は固定用突出部２３、２５を有し、第２ベース板部３は固定用突出部３２、３４を有する）。そして、一対のベース板部２、３の一方（第１ベース板部２）の固定用突出部２３、２５の先端と、一対のベース板部２、３の他方（第２ベース板部３）の固定用突出部３２、３４の先端とを固定することで、一対のベース板部２、３が、互いに離間されて対向配置された状態に組み合わされて固定されてなる。この構成によれば、一方の第１ベース板部２における固定用突出部２３、２５の先端と他方の第２ベース板部３における固定用突出部３２、３４の先端とが固定されることで、一対のベース板部２、３が互いに固定されるため、第１ベース板部２と第２ベース板部３との間の固定位置の位置合わせが容易になる。特に、一対のベース板部２、３が、互いに分離されている場合には、上記構成によって、一対のベース板部２、３の位置合わせ及び組み合わせ作業が容易になり、簡単に軒天換気材１を形成することができる。
【００２４】
図１１、図１２で示すように、一対のベース板部２、３が組み合わされて固定されると、第１ベース板部２の内面には、第２ベース板部３の内面側に突出するように、２つの突出棚部２２、２４が上下方向に並んで形成されている。突出棚部２２、２４は、第１ベース板部２の長尺方向に亘って形成されている。また、第２ベース板部３の内面には、上下方向における突出棚部２２と突出棚部２４との間の位置において、第１ベース板部２の内面側に突出するように、突出棚部３３が形成されている。突出棚部３３は、第２ベース板部３の長尺方向に亘って形成されている。なお、突出棚部３３の前端の位置は、突出棚部２２、２４の後端の位置よりも、前に形成されていることが好ましい。これによって、突出棚部３３と、突出棚部２２、２４との間には、３回屈曲させてジグザグ状に通気路Ｏ１が形成されることになり、より一層、雨や雪が通気路Ｏ１内に奥深く侵入することが防止される。
【００２５】
上述したように、第１ベース板部２の突出棚部２２、２４と、第２ベース板部３の突出棚部３３とは、上下方向に交互に配置される。これによって、突出棚部の個数を増やす程、通気路Ｏ１を屈曲させることができるため、簡易な構成で屈曲数の多い通気路Ｏ１を備えた軒天換気材１を提供することができる。なお、第１ベース板部２の突出棚部２２、２４と、第２ベース板部３の突出棚部３３とは、必ずしも上下方向に交互に配置されていなくてもよい。
【００２６】
以下に、第１ベース板部２と第２ベース板部３の構成について、詳細に説明する。
【００２７】
（軒天換気材の第２ベース板部３の構成）
図２から図６を用いて、第１ベース板部２の構成について説明する。図３は、第２ベース板部の正面図である。図４は、第２ベース板部の平面図である。図５は、図３で示す第２ベース板部のＡ−Ａ矢視断面図である。図６は、図３で示す第２ベース板部のＣ−Ｃ矢視断面図である。第１ベース板部２は、長尺状の樹脂成形体である。第１ベース板部２は、底板部３５と、底板部３５の後端から屈曲するように上方に立ち上がって延設された後板部３０と、後板部３０の上端から前方に屈曲するように、後板部３０の上端から延設された上板部３１とを有し、長手方向に沿った断面視において前方に開口する略コ字状の部材である。
【００２８】
（軒天換気材の第２ベース板部３の構成：底板部３５）
図４で示すように、底板部３５は、略水平に延びた、長尺で厚みを有する略四角形状の板状の部材であり、その前部分において、長手方向に並ぶように、複数の突出部３５１が複数形成されている。この突出部３５１は、底面視において四角形状であり、その前縁から上方へ突出する係合部位３５Ｂが形成されている。図２で示すように、突出部位３５１の上面には、第１ベース板部２の下端の下面２１２ａが配置され、この下端の前面が係合部位３５の後面に当接することで、第１ベース部材２の下端と第２ベース部材３の下端とが係止される。底板部３５は、その後縁から略直角に後板部３０が延設されている。底板部３５と後板部３０との間には、長尺方向に沿って等間隔を空けて複数の補強リブ３５Ａが形成されている。複数の補強リブ３５Ａは、前後方向に延び、その後方向の縁で後板部３０に接続され、その下方向の縁で底板部３５に接続され、前方に向かって上縁が下に傾斜するようになっている。
【００２９】
（軒天換気材の第２ベース板部３の構成：後板部３０）
後板部３０は、高さ方向に延びた、長尺で厚みを有する略四角形状の板状の部材である。後板部３０の左右方向の寸法は、底板部３５の左右方向の寸法と一致している。後板部３０の前面における高さ方向中央には、前方向に略直角に延設された突出棚部３３が形成されている。突出棚部３３は、平面視で四角形状の平板状の部材であり、後板部３０における長手方向の一縁から他縁にわたって形成されている。突出棚部３３は、その上面と後板部３０の前面との間にその長手方向に沿って並ぶように複数の補強リブ３３Ｂが形成され、その下面と後板部３０の前面との間にその長手方向に沿って並ぶように複数の補強リブ３３Ａが形成されている。補強リブ３３Ａは、前後方向に延び、その後方向の縁で後板部３０に接続され、その上方向の縁で突出棚部３３の上面に接続されている。補強リブ３３Ａは前方に向かって下縁が上に傾斜するようになっている。また、補強リブ３３Ｂは、前後方向に延び、その後方向の縁で後板部３０に接続され、その下方向の縁で突出棚部３３の下面に接続されている。補強リブ３３Ｂは前方に向かって上縁が下に傾斜するようになっている。
【００３０】
後板部３０の前面における突出棚部３３の下側には、前方に向かって略直角に延設された固定用突出部３４が、後板部３０の長手方向に沿って等間隔で並ぶように複数形成されている。固定用突出部３４は、第１ベース板部２の固定用突出部２３の先端と係止するための係止用溝３４１が先端に形成された円筒状の部材である。後板部３０の前面における突出棚部３３の上側には、前方に向かって略直角に延設された固定用突出部３２が、後板部３０の長手方向に沿って等間隔で並ぶように複数形成されている。固定用突出部３２は、第１ベース板部２の固定用突出部２５の先端と係止するための係止用溝３２１が先端に形成された円筒状の部材である。なお、後板部３０における、固定用突出部３２の形成位置には、固定用突出部３２の内面に連通する貫通孔である固定用孔３２ａが形成されている。また、後板部３０における、固定用突出部３４の形成位置には、固定用突出部３４の内面に連通する貫通孔である固定用孔３４ａが形成されている。固定用突出部３２、３４内に挿入されたビスＮ３、Ｎ５（図１を参照）が固定用孔３２ａ、３４ａを貫通して、通気胴縁１０５に打ち込まれ、これによって、軒天換気材１が通気胴縁１０５に固定されるようになっている。
【００３１】
固定用突出部３２、３４の前端の位置は、突出棚部３３の前端の位置よりも後方になっている。これによって、固定用突出部３２、３４の先端が、第１ベース板部２の固定用突出部２３、２５の先端と当接した場合に、この当接位置よりも前方に突出棚部３３の先端が位置するようになっている。また、後板部３０の長手方向において、固定用突出部３２の位置は、固定用突出部３４の位置と一致しないように形成されている。具体的には、後板部３０の長手方向において、隣接する２つの固定用突出部３４の中央部に、固定用突出部３２が位置するように、固定用突出部３４と固定用突出部３２とが互い違いに形成されている。これによって、通気路Ｏ１内の空気の流れが固定用突出部３２、３４によって悪くなることが効果的に防止される。
【００３２】
後板部３０の上縁には、前方に略直角に延設されるように上板部３１が形成されている。上板部３１と後板部３０との間には、長尺方向に沿って等間隔を空けて並ぶように複数の補強リブ３１Ａが形成されている。複数の補強リブ３１Ａは、前後方向に延び、その後方向の縁で後板部３０に接続され、その上方向の縁で上板部３１に接続されており、前方に向かって下縁が上に傾斜するようになっている。
【００３３】
（軒天換気材の第２ベース板部３の構成：上板部３１）
上板部３１は、平面視において四角形状の板状の長尺な部材である。上板部３１の左右方向の寸法は、後板部３０の左右方向の寸法と一致している。第２ベース板部３の上板部３１の前縁と、第１ベース板部２の上板部２６（後述）の後縁との間に小屋裏に通気するための間隔を形成するため、上板部３１の前端の位置は、底板部３５及び固定用突出部３２、３４の前端の位置より後方に位置している。
【００３４】
（軒天換気材の第２ベース板部３の構成：側板部３６）
第２ベース板部３の長手方向に両側部には、後板部３０、上板部３１、底板部３５に延設されるように、板状の側板部３６が形成されている。
【００３５】
（軒天換気材の第１ベース板部２の構成）
図２、図７から図１０を用いて、第１ベース板部２の構成について説明する。図７は、第１ベース板部の背面図である。図８は、第１ベース板部の底面図である。図９は、図７で示す第１ベース板部のＢ−Ｂ矢視断面図である。図１０は、図７で示す第１ベース板部のＤ−Ｄ矢視断面図である。第２ベース板部３は、長尺状の樹脂成形体である。第２ベース板部３は、底板部２１と、底板部２１の前端から屈曲するように上方に立ち上がって延設された前板部２０と、前板部２０の上端から後方に屈曲するように、前板部２０の上端から延設された上板部２６とを有する。
【００３６】
（軒天換気材の第１ベース板部２の構成：底板部２１）
図７から図９で示すように、底板部２１は、長尺で厚みを有する略四角形状の板状の部材を、その前後方向の途中位置で略直角に屈曲させた形状を有する。底板部２１における途中位置から前側である前側底板部２１１は、略水平に延び、底板部２１における途中位置から後側である後側底板部２１２は、略垂直に延びる。底板部２１は、前側底板部２１１の前端から後側底板部２１２の下端に亘って、スリット状の貫通孔である通気孔２１１ａが形成されている。この通気孔２１１ａは、底板部２１の長手方向にわたって等間隔を空けて連続的に複数形成されている。なお、通気孔２１１ａがスリット状であるため、蝙蝠等の小動物の通気孔２１１ａから通気路Ｏ１内への侵入を防止することができる。
【００３７】
上述したように、第１ベース板部２と第２ベース板部３とを組み合わせた状態で、後側底板部２１２の下端の下面２１２ａは、第２ベース板部３の底板部３５における突出部３５１の上面に当接され、かつ、後側底板部２１２の下端の後面は、突出部３５１の
係合部位３５の後面に当接することで、第１ベース部材２の下端と第２ベース部材３の下端とが係止される。これによって、第１ベース板部２の下端部と第２ベース板部３の下端部とが互いに合わさって閉状態となるが、通気孔２１１ａによって、外気を軒天換気材１の通気路Ｏ１内に流入させることができるようになっている。
【００３８】
（軒天換気材の第１ベース板部２の構成：前板部２０）
前板部２０は、前側底板部２１１の前縁から、上方に略直角に屈曲されるように延設されており、高さ方向に延びた、長尺で厚みを有する略四角形状の板状の部材である。前板部２０の左右方向の寸法は、底板部２１の左右方向の寸法と一致している。前板部２０の後面には、後方向に略直角に延設された突出棚部２２、２４が上下方向に並んで形成されている。突出棚部２２、２４は、平面視で四角形状の平板状の部材であり、後板部３０における長手方向の一縁から他縁にわたって形成されている。突出棚部２２は、突出棚部２４より下方に形成されており、突出棚部２４と略平行に形成されている。
【００３９】
突出棚部２２に沿って、複数の固定用突出部２３が等間隔を空けて形成されている。突出棚部２２と固定用突出部２３とは一体的に形成されている。これによって、突出棚部２２と固定用突出部２３とは互いに補強し合い、補強リブの形成が不要になる。なお、突出棚部２２に補強リブを形成してもよい。
【００４０】
固定用突出部２３は、後方に向かって略直角に突出するように前板部２０の後面から延設されている。固定用突出部２３は、先端に係止用突部２３１が形成された円筒状の部材であり、第１ベース板部２と第２ベース板部３とを組み合わせた場合に、その先縁の係止用突部２３１が第２ベース板部３における固定用突出部３４の先縁の係止用溝３４１と係合するようになっている。前板部２０における固定用突出部２３の形成位置にはビス挿入用の貫通孔である固定用孔２３ａが形成されており、この固定用孔２３ａが固定用突出部２３の内面に連通されており、固定用孔２３ａから固定用突出部２３内にビスＮ５（図１）を挿入することができる。このビスＮ５の後端が、第２ベース板部３の固定用突出部３４内に嵌って、後板部３０の固定用孔３４ａを挿通して通気胴縁１０５に打ち込まれることで、第１ベース板部２と第２ベース板部３とが組み合わされた上で、軒天換気材１が通気胴縁１０５に固定される。
【００４１】
突出棚部２４に沿って、複数の固定用突出部２５が等間隔を空けて並んで形成されている。突出棚部２４と固定用突出部２５とは一体的に形成されている。これによって、突出棚部２４と固定用突出部２５とは互いに補強し合い、補強リブの形成が不要になる。なお、突出棚部２４に補強リブを形成してもよい。
【００４２】
固定用突出部２５は、後方に向かって略直角に突出するように前板部２０の後面から延設されている。固定用突出部２５は、先端に係止用突部２５１が形成された円筒状の部材であり、第１ベース板部２と第２ベース板部３とを組み合わせた場合に、その先縁の係止用突部２５１が第２ベース板部３における固定用突出部３２の先縁の係止用溝３２１と係合するようになっている。前板部２０における固定用突出部２５の形成位置にはビス挿入用の貫通孔である固定用孔２５ａが形成されており、この固定用孔２５ａが固定用突出部２５の内面に連通されており、固定用孔２５ａから固定用突出部２５内にビスＮ３（図１）を挿入することができる。このビスＮ３の後端が、第２ベース板部３の固定用突出部３２内に嵌って、後板部３０の固定用孔３２ａを挿通して通気胴縁１０５に打ち込まれることで、第１ベース板部２と第２ベース板部３とが組み合わされた上で、軒天換気材１が通気胴縁１０５に固定される。
【００４３】
前板部２０の長手方向において、固定用突出部２５の位置は、固定用突出部２３の位置と一致しないように形成されている。具体的には、前板部２０の長手方向において、隣接する２つの固定用突出部２５の中央部に、固定用突出部２３が位置するように、固定用突出部２５と固定用突出部２３とが互い違いに形成されている。これによって、通気路Ｏ１内の空気の流れが固定用突出部２３、２５によって悪くなることが効果的に防止される。
【００４４】
前板部２０の上縁には、後方に略直角に延設されるように上板部２６が形成されている。上板部２６と前板部２０との間には、長尺方向に沿って等間隔を空けて複数の補強リブ２６Ａが形成されている。複数の補強リブ２６Ａは、前後方向に延び、その前方向の縁で前板部２０に接続され、その上方向の縁で上板部２６に接続されており、後方に向かって下縁が上に傾斜するようになっている。
【００４５】
（軒天換気材の第１ベース板部２の構成：上板部２６）
上板部２６は、その前縁に上方への突起２６１が形成された、平面視において四角形状の板状の長尺な部材である。上板部２６の左右方向の寸法は、前板部２０の左右方向の寸法と一致している。上板部２６の後端の位置は、底板部２１及び固定用突出部２３、２５の後端の位置より前方に位置している。また、上述したように、上板部３１の前端の位置は、底板部３５及び固定用突出部３２、３４の前端の位置より後方に位置している。これによって、第１ベース板部２と第２ベース板部３とを対向配置して固定した状態で、第２ベース板部３の上板部３１の前縁と、第１ベース板部２の上板部２６の後縁との間に間隔を形成して、この間隔を屋根裏への通気口とすることができる。
【００４６】
（軒天換気材の第１ベース板部２の構成：側板部２７）
第１ベース板部２の長手方向に両側部には、前板部２０、上板部２６、前側底板部２１１に延設されるように、板状の側板部２７が形成されている。
【００４７】
（軒天換気材１の製造方法）
図１、図１１、図１２を用いて、軒天換気材１の製造方法について説明する。まず、第１ベース板部２と、第２ベース板部３とをそれぞれ、射出成形によって形成する。例えば、第１ベース板部２を製造する用の一対の金型を用意するとともに、第１ベース板部２を製造する用の一対の金型を用意する。第１ベース板部２を製造する用の一対の金型の一方には、凹部、他方には、凸部が形成されており、一対の金型を合わせた際に凹部内に凸部が嵌め込まれて出来る隙間が、第１ベース板部２の形状になっている。これによって、一対の金型によって、第１ベース板部２が製造される。なお、第２ベース板部３についても、同様に製造される。
【００４８】
次に、第１ベース板部２と第２ベース板部３とを組み合わせる。具体的には、第１ベース板部２の固定用突出部２３の先端における係止用突部２３１と、第２ベース板部３の固定用突出部３４の先端における係止用溝３４１とを係止させるとともに、第１ベース板部２の固定用突出部２５の先端における係止用突部２５１と第２ベース板部３の固定用突出部３２の先端における係止用溝３２１とを係止させる。この状態で、第１ベース板部２の前板部２０の固定用孔２３ａから、第１ベース板部２の固定用突出部２３と第２ベース板部３の固定用突出部３４内にビスＮ５を挿入し、かつ、第１ベース板部２の前板部２０の固定用孔２５ａから、第１ベース板部２の固定用突出部２５と第２ベース板部３の固定用突出部３２内にビスＮ３を挿入し、これによって、第１ベース板部２と第２ベース板部３とを組み合わせて固定して、軒天換気材１を製造することができる。
【００４９】
また、本実施形態では、第１ベース板部２と第２ベース板部３との組み合わせと、軒天換気材１の通気胴縁１０５への固定とが同時に行われる。具体的には、図１で示すように、第１ベース板部２と第２ベース板部３とを合わせた状態で、第２ベース板部３の後板部３０の後面を通気胴縁１０５に当接させる。そして、第１ベース板部２の固定用突出部２３と第２ベース板部３の固定用突出部３４内に上述したようにビスＮ５を挿入して通気胴縁１０５までに打ち込むとともに、第１ベース板部２の固定用突出部２５と第２ベース板部３の固定用突出部３２内に上述したようにビスＮ３を挿入して通気胴縁１０５まで打ち込む。これによって、第１ベース板部２と第２ベース板部３とを組み合わせるとともに、軒天換気材１を通気胴縁１０５に固定することができる。その後に、鼻隠し１０３の後面を軒１０１の先縁と第１ベース板部２の前面とに当接させて、鼻隠し１０３の前方から、鼻隠し１０３及び軒１０１に対してビスＮ２を打ち込む。これとともに、鼻隠し１０３、軒天換気材１及び通気胴縁１０５に対してビスＮ４を打ち込む。
【００５０】
上述したように、本実施形態では、固定用突出部２３、２５、３２、３４を用いて、軒天換気材１の通気胴縁１０５への取り付けも行われるが、固定用突出部２３、２５、３２、３４を第１ベース板部２と第２ベース板部３とを組み合わせて固定するためだけに使用し、軒天換気材１の通気胴縁１０５への取り付けには使用しなくてもよい。例えば、ビスＮ３、Ｎ５を、軒天換気材１の前方から後方に向かって、固定用突出部２３、２５、３２、３４が形成されていない位置に打ち込んで、軒天換気材１を通気胴縁１０５に固定してもよい。また、ビスＮ３、Ｎ５を用いず、ビスＮ４のみを用いて軒天換気材１を建物１００に取り付けてもよい。
【００５１】
（軒天換気材１における空気の流れ）
次に、図１２を用いて、軒天換気材１における空気の流れを説明する。軒天換気材１内には、突出棚部２２、２４、３３に仕切られて、通気路Ｏ１が３箇所で屈曲されてジグザグに形成されている。軒天換気材１における通気路Ｏ１への空気の流入口は、軒天換気材１の底板部２１に形成された複数の通気孔２１１ａである。通気孔２１１ａから流入した空気は、ジグザグ状の通気路Ｏ１を上方に向かって流れて、第１ベース板部２の上板部２６の後縁と第２ベース板部３の上板部３１の前縁との間の隙間から、小屋裏へと流入する。これによって、小屋裏の換気がなされる。
【００５２】
（変形例）
（１）本実施形態では、第１ベース板部２の固定用突出部２３、２５と第２ベース板部３の固定用突出部３２、３４とは、円筒状の突起であり、内部にビスを挿入することで、第１ベース板部２の固定用突出部２３、２５と第２ベース板部３の固定用突出部３２、３４とを互いに固定することが出来る構成であるが、固定用突出部の構成はこの構成に限定されない。固定用突出部は、一対のベース板部２、３を所定の距離離間して対向させた状態で固定するために、ベース板部の対向面から突出する突起状物であればよい。例えば、固定用突出部は、円筒状でなく、円柱や直方体等の柱状物であってもよく、また、板状物であってもよい。第１ベース板部２における固定用突出部と第２ベース板部３における固定用突出部とを互いに固定する構造としては、例えば、第１ベース板部２における固定用突出部の先端と第２ベース板部３における固定用突出部の先端とを係止して固定する構造であってもよい。この構造の例としては、一方の固定用突出部の先端に、ビスの頭の挿入用孔やフックを形成し、他方の固定用突出部の先端に、ビスの先端部の挿入用の凹部やフック係止部（リング等）を形成し、一方の固定用突出部の先端のビスやフックを、他方の固定用突出部の先端の凹部やフック係止部に係止させる構造がある。
【００５３】
（２）本実施形態では、軒天換気材１に形成された突出棚部の個数は３個であるが、少なくとも１個形成されていればよい。また、突出棚部は、２個、又は４個以上形成されていてもよい。また、固定用突出部の個数も特に限定されるものではない。
【００５４】
（３）本実施形態の軒天換気材１は、第１ベース板部２及び第２ベース板部３の両方が、突出棚部２２、２４、３３を有するが、第１ベース板部２及び第２ベース板部３のうちの少なくとも一方が、突出棚部を有していればよい。例えば、第１ベース板部２には突出棚部２２、２４を形成するが、第２ベース板部３には突出棚部３３を形成しなくてもよい。また、本実施形態の軒天換気材１は、第１ベース板部２及び第２ベース板部３の両方が、固定用突出部２３、２５、３２、３４を有するが、第１ベース板部２及び第２ベース板部３のうちの少なくとも一方が、固定用突出部を有していればよい。例えば、第１ベース板部２には固定用突出部２３、２５を形成するが、第２ベース板部３には固定用突出部３２、３４を形成しなくてもよい。この場合には、固定用突出部２３、２５の突出度合を本実施形態よりも大きくすることが好ましい。例えば、固定用突出部２３、２５を第２ベース板部３の内面（後板部３０の前面）に接する長さとし、第２ベース板部３の外面（後板部３０の後面）から、第１ベース板部２の先端に向かって、ビスを打ち込むことで、第１ベース板部２と第２ベース板部３とを互いに離間させた状態で固定してもよい。また、第１ベース板部２には、固定用突出部２３、２５を形成するが、突出棚部２２、２４を形成せず、第２ベース板部３には、固定用突出部３２、３４を形成せず、突出棚部３３を形成してもよい。
【００５５】
（４）本実施形態では、第１ベース板部２と第２ベース板部３とは、別々の樹脂成形体であるが、第１ベース板部２と第２ベース板部３とが、単一の樹脂成形体であってもよい。例えば、第１ベース板部２の上板部２６の後縁と第２ベース板部３の上板部３１の前縁とが、小屋裏への通気を防がないように（小屋裏への通気口を空けて）、少なくとも１箇所（例えば長手方向の両端部）で接続されて（繋がって）いてもよい。また、第１ベース板部２の底板部２１の下縁と第２ベース板部３の底板部３５の前縁とが、少なくとも１箇所（例えば長手方向の両端部）で接続されて（繋がって）いてもよい。
【００５６】
第１ベース板部と第２ベース板部とが、単一の樹脂成形体である変形例をより詳細に説明する。変形例に係る軒天換気材は、一つの樹脂成形体がその中途部の少なくとも１箇所で折り曲げられ、一方の折り曲げ片と他方の折り曲げ片とが、一対のベース板部となり、一対のベース板部が、中途部で折り曲げられて、互いに対向配置された状態で固定されてなる。
【００５７】
上記変形例に係る軒天換気材の製造方法を説明する。第１ベース板部及び第２ベース板部の樹脂成形体を射出成形する。例えば、第１ベース板部２及び第２ベース板部３を製造する用の一対の金型を用意する。この一対の金型の一方には、凹部、他方には、凸部が形成されている。一対の金型を合わせた際に凹部内に凸部が嵌め込まれて出来る隙間が、第１ベース板部及び第２ベース板部の形状になっている。これによって、一対の金型によって、第１ベース板部及び第２ベース板部が製造される。このようにして製造された第１ベース板部及び第２ベース板部が、中途部で折り曲げられて、第１ベース板部の前板部と第２ベース板部の後板部とが対応配置される。なお、本変形例での中途部は、例えば、第１ベース板部の底板部の下縁と第２ベース板部の底板部の前縁との接続部位、又は第１ベース板部の上板部の後縁と第２ベース板部の上板部の前縁との接続部位である。そして、第１ベース板部２と第２ベース板部とを、本実施形態と同様の方法で組み合わせた状態で固定する。
【００５８】
上記変形例の構成によれば、一度の成形で、一対のベース板部を形成することができるため、一対のベース板部を成形するための金型の種類を少なくすることができて製造コストを低減することができ、かつ、一対のベース板部の形成が容易になる。また、中途部で折り曲げることで、一対のベース板部が互いに対向配置されるため、一対のベース板部の位置合わせが容易になり、一対のベース板部の形成が容易になる。
【００５９】
（５）本実施形態では、軒天換気材１をビスＮ３、Ｎ５により通気胴縁１０５に取り付けることにより第１ベース板部２と第２ベース板部３とを固定するようにしているが、建物１００（通気胴縁１０５）に取り付ける前に、予め第１ベース板部２と第２ベース板部３とを固定しておいてもよい。このとき、例えば、固定用突出部２３、２５、３２、３４の一部の組み合わせにおいて互いに係合したり、ピンを差し込むなどして固定することができる。
【００６０】
（６）本実施形態では、一対のベース板部２，３に固定用突出部２３、２５、３２、３４を設けているが、例えば、第１ベース板部２の上板部２６および底板部２１をそれぞれ第２ベース板部３の上板部３１および底板部３５に接続片で係合（接続）することで第１のベース板部２と第２のベース板部とを所定間隔に離間して固定するようにすれば、固定用突出部２３、２５、３２、３４を設けなくてもかまわない。
【符号の説明】
【００６１】
１                      軒天換気材
２                      第１ベース板部
２２                    突出棚部
２３                    固定用突出部
２４                    突出棚部
２５                    固定用突出部
３                      第２ベース板部
３２                    固定用突出部
３３                    突出棚部
３４                    固定用突出部
Ｏ１                    通気路
【図１】
0006599120.tif 000002
【図２】
0006599120.tif 000003
【図３】
0006599120.tif 000004
【図４】
0006599120.tif 000005
【図５】
0006599120.tif 000006
【図６】
0006599120.tif 000007
【図７】
0006599120.tif 000008
【図８】
0006599120.tif 000009
【図９】
0006599120.tif 000010
【図１０】
0006599120.tif 000011
【図１１】
0006599120.tif 000012
【図１２】
0006599120.tif 000013